(57)【要約】【課題】各ＡＶ機器を接続し、ワイヤレスネットワークを構成している場合、現在の通信状況、各機器の接続状況、使用状況等をユーザが瞬時に判断することが不可能であった。また、ユーザは現在の通信状態で、どんなアプリケーションが快適に実行できるのかが分からず、混乱する可能性が高いという問題があった。【解決手段】ワイヤレスネットワークを構成している各ＡＶ機器間の現在の各通信状況に合わせた通信形態に自動的に切替を行い、各アプリケーションに応じた伝送スループットを得ることができるので、ユーザが意識することなく快適な伝送環境を実現することができるワイヤレス画像送受信システムを提供する。【選択図】  図１７
2004320396.tif 000002
【特許請求の範囲】
【請求項１】
表示装置と制御装置と画像送信装置とで構成され、前記画像送信装置から電磁波又は光に変調された画像データを送信し、前記制御装置を介して前記画像データを前記表示装置にて受信し、表示するワイヤレス画像送受信システムであって、
前記制御装置は、
前記表示装置と前記制御装置間の伝送スループットと、前記画像送信装置と前記制御装置間の伝送スループットを検出する第１の伝送状況検出手段と、
前記伝送状況検出手段において検出された伝送スループットに基づいて、前記画像データの伝送可否を判定する第１の伝送可否判定手段と、
前記第１の伝送可否判定手段の結果に基づいて、前記表示装置と前記制御装置と前記画像送信装置との接続の切替を制御する制御手段を有することを特徴とするワイヤレス画像送受信システム。
【請求項２】
表示装置と制御装置と画像送信装置とで構成され、前記画像送信装置から電磁波又は光に変調された画像データを送信し、前記制御装置を介して前記画像データを前記表示装置にて受信し、表示するワイヤレス画像送受信システムであって、
前記制御装置は、
伝送すべき前記画像データに対応する容量の所定データの伝送誤り率を測定する伝送誤り率測定手段と、
前記誤り率に基づいて、前記画像データの伝送可否を判定する第２の伝送可否判定手段と、
前記第２の伝送可否判定手段の結果に基づいて、前記表示装置と前記制御装置と前記画像送信装置との接続の切替を制御する制御手段を有することを特徴とするワイヤレス画像送受信システム。
【請求項３】
表示装置と制御装置と画像送信装置とで構成され、前記画像送信装置から電磁波又は光に変調された画像データを送信し、前記制御装置を介して前記画像データを前記表示装置にて受信し、表示するワイヤレス画像送受信システムであって、
前記制御装置は、
前記画像データに対応する容量の所定データを蓄積する受信バッファと、
前記受信バッファに蓄積された前記所定データの量を監視するバッファ監視部と、
前記バッファ監視部の結果に基づいて、前記画像データの伝送可否を判定する第３の伝送可否判定手段と、
前記第３の伝送可否判定手段の結果に基づいて、前記表示装置と前記制御装置と前記画像送信装置との接続の切替を制御する制御手段を有することを特徴とするワイヤレス画像送受信システム。
【請求項４】
前記第１の伝送状況検出手段は、電波信号を受信するアンテナと、
前記電波信号を処理する無線信号処理部と、
前記無線信号処理部からの電波強度信号を定量化する信号強度定量化部により構成されることを特徴とする請求項１に記載のワイヤレス画像送受信システム。
【請求項５】
前記第１の伝送可否判定手段は、
前記ワイヤレス画像送受信システムの伝送スループットと、前記画像データのビットレートを比較する第１の比較部と、
前記第１の比較部の結果に基づいて、前記画像データの伝送可否を判定する伝送方式判定部を有することを特徴とする請求項１に記載のワイヤレス画像送受信システム。
【請求項６】
前記表示装置と前記制御装置と前記画像送信装置との接続の形態は、
前記表示装置と前記画像送信装置とで通信するインフラストラクチャ通信と、前記表示装置と前記画像送信装置が直接通信するアドホック通信を含んで構成することを特徴とする請求項１乃至請求項３の何れか１項に記載のワイヤレス画像送受信システム。
【請求項７】
前記表示装置と前記制御装置と前記画像送信装置との接続の形態は、
前記制御装置を介して、前記表示装置と前記画像送信装置とで通信するインフラストラクチャ通信と、
前記表示装置と前記画像送信装置が直接通信するアドホック通信を有し、
前記制御装置によって、前記インフラストラクチャ通信から前記アドホック通信への切替えを制御することを特徴とする請求項１乃至請求項３の何れか１項に記載のワイヤレス画像送受信システム。
【請求項８】
前記画像送信装置は、
前記表示装置と前記画像送信装置間の伝送スループットと、前記画像データのビットレートを比較する第２の比較部を有し、
前記第２の比較部の結果に基づいて、前記画像送信装置における前記画像データの圧縮率を制御する第２の制御手段を有することを特徴とする請求項７に記載のワイヤレス画像送受信システム。
【発明の詳細な説明】
【０００１】
【発明の属する技術分野】
本発明は液晶ディスプレイ、プラズマディスプレイ、ＶＴＲ、ＤＶＤプレーヤ、ＢＳデジタルチューナーなどのＡＶ機器間のディジタル信号のワイヤレス伝送に関する。
【０００２】
【従来の技術】
近年、パソコンの処理速度の高速化とともにＡＶ機器のデジタル化が進み、一般家庭でも画像、音声、データなどを融合した高速のマルチメディア情報を扱える時代が到来している。
【０００３】
こうした状況の中、光変調、無線ＬＡＮ等の無線方式の採用が有望視されている。配線の必要がないという無線本来の利点に加え、企業市場での普及が始まり、製品価格が低下してきていることにより需要が高まっており、既に対応したＡＶ機器が各社より開発され始めている。
【０００４】
現在広く普及している無線携帯端末においては、基地局装置と通信可能な圏内から圏外又は圏外から圏内に移動したことを利用者に知らせる方法がある（例えば、特許文献１参照）。
【０００５】
また、画像伝送においては、通信品質に応じて少なくとも２つの変調方式のうちの最適な変調方式を決定する方法がある（例えば、特許文献２参照）。
【０００６】
【特許文献１】
特開２０００−３０７６９０号（第６頁、図１）
【特許文献２】
特開平１１−２６６２５６号（第７頁、図１）
【０００７】
【発明が解決しようとする課題】
無線伝送機能を装備したＡＶ機器を宅内で使用する場合、安定した通信を妨げる要因が多く存在する。例えばＩＥＥＥ８０２．１１ｂとして規格化されている無線ＬＡＮでは、ＩＳＭバンドと呼ばれる２．４ＧＨｚ帯を使って通信を行う。この２．４ＧＨｚ帯は、無線ＬＡＮの他にも電子レンジやＢｌｕｅＴｏｏｔｈ、アマチュア無線などが利用しており、干渉の問題が避けられない。さらに、家具などの反射物の多い宅内では、マルチパスの影響も考えられる。
【０００８】
現状の製品においては、例えば動画像を無線で伝送している最中に上記のような妨害が発生し、動画像を安定して送信可能なスループットが確保できなくなった場合、画面がフリーズ状態になる。この場合ユーザにとっては、それが動画像自体の欠陥なのか、機器の故障なのか、スループットの問題なのか等を判別することが難しい。また、現在の電波状態により実現できるスループットよりも高いビットレートを持つ画像等を伝送しようとした場合、受信画像がコマ落ちする、もしくは伝送できないといった現象が発生し、ユーザは上記と同様な混乱に陥ることになる。
【０００９】
前記のように現状のワイヤレス伝送装置では、例えば動画像を無線で伝送している最中に、干渉、ノイズ等の影響により十分なスループットを確保することができなかった場合、画面がフリーズする、伝送不可能になるといった状況に陥り、その原因をユーザがすぐに理解できる仕組みが装備されていない。
【００１０】
つまり、宅内において各ＡＶ機器を接続し、ワイヤレスネットワークを構成している場合、現在の通信状況、各機器の接続状況、使用状況等をユーザが瞬時に判断することが不可能であった。
【００１１】
また、ユーザは現在の通信状態で、どんなアプリケーションが快適に実行できるのかが分からず、混乱する可能性が高いという問題があった。
【００１２】
従来例（特許文献２）では、現在の通信品質に応じて、画像の変調方式を変更する方法が記載されている。しかし、伝送エラー率を軽減することは可能だが、変調方式を変えるということは伝送スループットが変わる（落ちる）ということであり、各アプリケーションが常に快適に実行できるための解決には至らない。
【００１３】
本発明は上記問題に鑑みてなされたものであり、ワイヤレスネットワークを構成している各ＡＶ機器間の現在の各通信状況に合わせた通信形態に自動的に切替を行い、ユーザが意識することなく各アプリケーションに応じた快適な伝送環境を実現することができるワイヤレス伝送装置を提供することにある。
【００１４】
【課題を解決するための手段】
表示装置と制御装置と画像送信装置とで構成され、前記画像送信装置から電磁波又は光に変調された画像データを送信し、前記制御装置を介して前記画像データを前記表示装置にて受信し、表示するワイヤレス画像送受信システムであって、前記制御装置は、前記表示装置と前記制御装置間の伝送スループットと、前記画像送信装置と前記制御装置間の伝送スループットを検出する第１の伝送状況検出手段と、前記伝送状況検出手段において検出された伝送スループットに基づいて、前記画像データの伝送可否を判定する第１の伝送可否判定手段と、前記第１の伝送可否判定手段の結果に基づいて、前記表示装置と前記制御装置と前記画像送信装置との接続の切替を制御する制御手段を有するように構成する。
【００１５】
【発明の実施の形態】
図１は、本発明による第１の実施の形態であるワイヤレス表示装置の構成図である。図１において、１はアンテナ、２は無線部、３はアンテナ１で受信した電波の強度を定量化する信号強度定量化部、４はデコーダ、５はＯＳＤ処理部、６は合成部、７は表示部である。
【００１６】
図１において、まずアンテナ１により電波信号を受信する。受信した電波信号は無線部２へ入力される。無線部２にて電波信号をベースバンド信号に変換し、デコーダ部４にて復調され、ビデオ合成部６へ入力される。一方無線部２からは、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）信号が信号強度定量化部３へ入力され、受信電波の強度を定量化し、ＯＳＤ処理部５へ入力される。ＯＳＤ処理部５では、定量化された受信電波の強度情報に基づいて色分け処理等を行い、表示情報を作成し、ビデオ合成部６へ入力する。ビデオ合成部６では、復調データと受信強度表示情報を合成して出力する。表示部７では、合成されたビデオデータを表示する。
【００１７】
図１におけるＯＳＤ処理部５での受信強度情報の色分けについては、色々な方法が考えられるが、一例を挙げると、図２のように受信強度をレベルバーで画面に表示することが考えられる。レベルバー表示は、表示装置のリモコンにてＯＮ／ＯＦＦ切替をできるようにしても良いし、小さく画面隅に常に表示させても良い。また、受信不可能な状態に入った場合は、“圏外”等の文字情報を付加する構成としてもよい。
【００１８】
尚、図１における表示部７は、本実施の形態のワイヤレス受信機を全て組み込んだ形でもよいが、無線部８以外を含み、無線部は別モジュールを接続する構成、もしくは受信機全体９を別モジュールとして接続する構成のいずれを採用してもよい。
【００１９】
また、信号強度定量化部３においては、無線部２からのＲＳＳＩ信号強度を定量化し、あらかじめユーザが設定するレベル閾値（例えば５０％）との比較判定を行い、定量化された信号強度が、レベル閾値以下に達したとき、ＯＳＤ処理部５へ定量化された信号強度を出力することも可能である。
【００２０】
他に、信号強度定量化部３内にタイマを設け、レベル閾値以下の状態が、所定時間（例えば５秒）継続した場合にＯＳＤ処理部５へ信号強度を出力する構成としても良い。
【００２１】
以上のように本実施の形態では、ワイヤレス表示装置において、現在の送受信状態を表示装置にＯＳＤ表示させることができるので、ユーザが常に現在の通信状態を知ることが可能となる。
【００２２】
図３は、本発明による第２の実施の形態であるワイヤレス表示装置の構成を示すものである。
【００２３】
図３において、図１に示した第１の実施の形態の構成要素と同一の構成要素に関しては、同一の符号を付してその説明を省略する。本実施の形態が第１の実施の形態と異なる点は、ホームサーバーを介して各ＡＶ機器が接続されているネットワークにおいて、ユーザが操作しているＡＶ機器からアクセス可能な各ＡＶ機器内に蓄積されているコンテンツ情報及びその伝送可否状態をＯＳＤ表示し、ユーザが選択・実行可能としたことにある。
【００２４】
以下、上述した第１の実施の形態と異なる部分についてその動作を説明する。図３において、ＡＶ機器内部１２は、ＣＰＵ等のマイクロプロセッサ１６、ＡＶ機器自体の機能を実行するためのプログラム等が記録されるメモリ部１７、表示部１８、ＡＶ機器専用のリモコン信号受信部１９、及び他のＡＶ機器とワイヤレスネットワークを用いた通信を行うための無線Ｉ／Ｆ部１５を含む。無線通信部１１において、コンテンツ情報処理部１３は、現在視聴可能な画像等のコンテンツ情報をホームサーバー（後述）より受信し、ＯＳＤ処理部１４で表示情報を作成する。言うまでもないが、無線通信部１１は、ＡＶ機器内部に組み込む構成としても何ら問題はない。
【００２５】
図４は本実施の形態のワイヤレス表示装置の使用環境を示す一例である。各ＡＶ機器には、図３で示したワイヤレス表示装置が組み込まれているものとする。ホームサーバーは、各ＡＶ機器を一括管理しており、ホームサーバー内には、各ＡＶ機器で閲覧・蓄積可能な動画像、ファイルデータ等の情報が蓄積されている。各ＡＶ機器は、ホームサーバーを介して相互に通信接続される。ホームサーバーは、各ＡＶ機器とデータを送受信して、各ＡＶ機器間の通信を中継するための機能を有する。またホームサーバーは、定期的に各ＡＶ機器とデータの送受信を行い、ホームサーバーを介した各ＡＶ機器間における伝送スループットを把握する機能を有する。さらにホームサーバーは、現在ネットワーク上にあるＡＶ機器の名称、各ＡＶ機器に蓄積されているコンテンツ情報、データ等を把握する機能を有する。
【００２６】
以下、ホームサーバーがネットワーク上の各ＡＶ機器内の情報をデータベース化するための手順を示す。ホームサーバーは、各機器に対して格納データ情報要求信号を送信する。格納データ要求信号は、各ＡＶ機器毎にユニキャスト送信を繰り返してもよいし、全ＡＶ機器へのマルチキャスト送信としてもよい。格納データ情報要求信号を受信した各ＡＶ機器は、その蓄積コンテンツ、データ等のリストを作成する。その後、各機器のＮａｍｅＩＤと共に例えば、宛先アドレス、送信元アドレス、リストデータ、エラーチェックコードで構成されるパケットでリストをホームサーバーへ送信する。ここで、ＮａｍｅＩＤとは、ネットワーク上の各ＡＶ機器を識別するためのベンダ番号、または、ホームサーバーが固有で割り当てる名称である。
【００２７】
ホームサーバーは、リストを受信し、ネットワーク上の各ＡＶ機器のリストを纏めた一覧リストを作成し、記憶装置２４へ格納する。図８は一覧リストの内容の一例を示したものである。この一覧リストはホームサーバーから各ＡＶ機器に対して所定時間間隔で格納データ情報要求信号送信が行われることで、随時更新される。
【００２８】
図５は、ホームサーバーの構成の一例を示している。図５において、２１は無線部、２２はＣＰＵ等のマイクロプロセッサからなる情報処理部、２３は各表示機器から受信したデータや各表示機器と通信を行うためのプログラムを記憶するためのメモリ、２４は動画像、ファイルデータ等の情報を蓄積するための記憶装置、２５はその他周辺機器等とワイヤレスネットワークとは別に信号の入出力を行うためのインターフェース、２６は伝送スループット算出用のタイマである。ここで、記憶装置２４には各機器間の伝送スループットデータを保存するデータベース領域も含むものとする。
【００２９】
以下、各ＡＶ機器とホームサーバー間の動作について説明する。例として、ホームサーバー内の動画像データを、ワイヤレスネットワークを介してプラズマディスプレイ（以下、ＰＤＰと呼ぶ）で視聴する際の動作を説明する。
【００３０】
まず、ＰＤＰは、ホームサーバー内の格納データ情報を要求する。要求を受けたホームサーバーは、ＰＤＰとホームサーバー間の伝送スループットデータとホームサーバー内の格納データの各ビットレートを比較し、ＰＤＰに伝送可能なデータのリスト（以下簡易ＥＰＧ：Ｅｌｅｃｔｒｏｎｉｃ  Ｐｒｏｇｒａｍ  Ｇｕｉｄｅと呼ぶ）を作成する。ホームサーバーは、簡易ＥＰＧをＰＤＰへ送信する。ＰＤＰ側はこれを受信し、コンテンツ情報処理部１３（図３）にて表示部１８（図３）で表示可能なサイズ、フォントに変換して画面表示する。
【００３１】
ＰＤＰでは、例えば、図６（ａ）のように受信可能なコンテンツが表示される。
【００３２】
尚、ホームサーバーから送信される簡易ＥＰＧとしては、図６（ｂ）のようにホームサーバー内の全てのコンテンツ情報の一覧に、伝送可能なコンテンツのみ色を変えた表示情報としてもよい。本表示情報は、第１の実施の形態でも述べたように、ＰＤＰに付属のリモコンでＯＮ／ＯＦＦ可能とする。
【００３３】
また、ＰＤＰでは、図６の状態から、付属のリモコンで視聴したいコンテンツを選択することにより、ホームサーバーから受信・再生することができる。
【００３４】
上記のようなホームサーバー内のコンテンツの操作に関しては、例えば以下のような方法が考えられる。図６において、ユーザがリモコンによりコンテンツを選択すると、リモコン信号受信部１９（図３）で信号を受信し、宛先アドレス、送信元アドレス、コマンドデータ及びエラーチェックコードで構成されるコマンド情報を含んだパケットがホームサーバーに送信される。ここで、コマンドデータは、再生／停止コマンドと、再生／停止要求するコンテンツの番号で構成される。ここで、コンテンツ番号とは、ホームサーバー内で各コンテンツ固有に割り当てられた番号であるものとする。ホームサーバーでは、パケットを受信し、ＣＰＵにてコマンド解析処理を行い、要求されたコンテンツの送信・中止を実行する。
【００３５】
尚、本実施の形態においては、表示部側にＯＳＤ処理部２７を設ける方法を説明したが、図５に示すように、ホームサーバー側にＯＳＤ処理部２７を設け、簡易ＥＰＧ情報を付加したデータを送信する構成としても良い。
【００３６】
他の例として、図７のフローチャートを用いて、Ｄ・ＶＨＳ内に蓄積されているコンテンツを、ホームサーバーを介してＰＤＰで視聴する際の動作を用いて説明する。
【００３７】
まず、ＰＤＰはホームサーバー内の記憶装置２４に格納されているリスト情報の送信を要求する（ステップＨ２）。ホームサーバーは、要求を受信し、図８（ａ）で示したようなネットワーク上の各ＡＶ機器のリスト情報を簡易ＥＰＧデータとしてＰＤＰへ送信する（ステップＨ８、Ｈ９）。ここで、例えばホームサーバーは、ＰＤＰと各ＡＶ機器間の伝送スループットを考慮し、伝送可能なコンテンツを図８（ｂ）のように色分けする等して、ＰＤＰへ送信するものとする。ＰＤＰでは、ホームサーバーから送信された簡易ＥＰＧデータを受信し、伝送可能なコンテンツの中からユーザが視聴したいコンテンツをリモコンで選択することにより、コンテンツ要求信号をホームサーバーへ送信する（ステップＨ３、Ｈ４）。コンテンツ要求信号を受信した（ステップＨ１０）ホームサーバーは、要求されているコンテンツが蓄積されているＤ・ＶＨＳに対して、要求信号を送信する（ステップＨ１１）。Ｄ・ＶＨＳは、要求されたコンテンツの送信を開始（ステップＨ１６）し、ＰＤＰで受信する（ステップＨ５）。
【００３８】
以上のように本実施の形態では、ホームサーバーがネットワーク上の各ＡＶ機器に蓄積されているコンテンツ情報、データを随時リストとして格納しており、各ＡＶ機器は、ホームサーバーからリストを受け取ることで、ネットワーク上で利用できる全てのコンテンツを伝送可否情報と共に容易に確認でき、ユーザは視聴したいコンテンツを選択実行することが可能となる。
【００３９】
図９は、本発明における第３の実施の形態であるワイヤレス表示装置の動作を説明するフローチャートである。
【００４０】
本実施の形態が第２の実施の形態と異なる点は、現在の通信状態で伝送不可能なＤ・ＶＨＳ内のコンテンツ情報を、ビットレート変換を行うことで伝送可能とすることである。図６に示すように、Ｄ・ＶＨＳ内の全コンテンツ情報を表示部側にて表示し、ユーザが選択・実行可能なことにする。また、ビットレート変換によって伝送可能である旨を例えば別の色で示すことにより識別可能としてもよい。以下、図９を用いて説明する。
【００４１】
まず、Ｄ・ＶＨＳは、ホームサーバーにコンテンツ情報を送信する（ステップＩ１３）。ＰＤＰでは、簡易ＥＰＧデータの色分けされたビットレート変換により伝送可能となるコンテンツの中からユーザが視聴したいコンテンツをリモコンで選択すると、宛先アドレス、送信元アドレス、コマンドデータ及びエラーチェックコードで構成されるコマンド情報を含んだパケットがホームサーバーに送信する（ステップＩ２）。ここで、コマンドデータは、再生／停止コマンド、再生／停止要求するコンテンツの番号で構成される。ホームサーバーでは、パケットに、現在の「ＰＤＰ−ホームサーバー−Ｄ・ＶＨＳ」間の伝送スループット値及び、レート変換要求フラグＦｇを追加したパケットをＤ・ＶＨＳへ送信する（ステップＩ８、Ｉ９）。また、レート変換要求フラグＦｇとは、例えば１ビットの信号であり、レート変換要求有の場合は１、無の場合は０とする。Ｄ・ＶＨＳではパケットを受信し、ＣＰＵにてこのパケット内のＦｇを認識し、レート変換の出力信号を選択するようなスイッチ切替信号を切替スイッチ部へ出力する。ここで、スイッチ切替信号は例えば１ビットの信号であり、レート変換出力の場合は１、スルー出力の場合は０を指定するものとする。スイッチ切替信号に０が指定された場合は、伝送可能なコンテンツが指定されたものとして、そのままコンテンツを送信する。また、スイッチ切替信号に１が指定された場合は、レートを変換してコンテンツを送信する（ステップＩ１５、Ｉ１７）。
【００４２】
以上のように本実施の形態では、Ｄ・ＶＨＳに蓄積されているコンテンツ情報、データを随時リストとして格納しており、ＰＤＰはＤ・ＶＨＳからリストを受け取ることで、Ｄ・ＶＨＳに蓄積されている全てのコンテンツに関して伝送可否情報を確認できる。また、現在の通信状況では伝送不可能なコンテンツに関しても、レートを変更することで受信可能であること通知し、Ｄ・ＶＨＳ内のコンテンツを受信可能とすることができる。
【００４３】
図１０は、本発明による第４の実施の形態であるワイヤレス表示装置の構成を示すものである。
【００４４】
図１０において、図３に示した第２の実施の形態の構成要素と同一の構成要素に関しては、同一の符号を付してその説明を省略する。本実施の形態が第２の実施の形態と異なる点は、宅内に散在する２つのＡＶ機器間が、ホームサーバーを介さず互いに接続されているネットワーク構成において、接続要求を行うＡＶ機器が、接続先ＡＶ機器間との伝送スループットを算出し、また接続先ＡＶ機器に蓄積されているコンテンツ情報、データ等のリストを受信し、伝送可否を判断して表示装置に一覧表示させることを可能としたことにある。
【００４５】
以下、上述した第２の実施の形態と異なる部分についてその動作を説明する。
【００４６】
図１０において、スループット算出部４１は、指定したＡＶ機器間との伝送スループットを算出する。算出された伝送スループット値と、コンテンツ情報処理部４２で処理された、指定したＡＶ機器内のコンテンツのビットレートを判定部４３で比較し、現在伝送可能かどうかの判定を行う。ＯＳＤ処理部１４にて判定結果を色分け等で表示情報を作成し、合成部６へ出力する。
【００４７】
また、図１０において、メモリ４４内には各ＡＶ機器内に蓄積されているコンテンツ情報が、例えば、図１１に示すようなリストデータとして格納されているものとする。ＡＶ機器が、例えば表示機能しかもたないディスプレイ等の場合は、格納データ無を意味するデータが格納されているものとする。
【００４８】
図１２は本実施の形態において、ホームサーバーを介さず、家庭内に散在する画像送信装置と表示装置間の通信を直接行う場合の、例えば、ＤＶＤプレーヤとＰＤＰ間の処理を説明するためのフローチャートである。以下、図１２に従い、その動作を説明する。
【００４９】
まず、ＰＤＰはＤＶＤプレーヤに対して、格納データ情報要求信号を送信する（ステップＪ２）。ＤＶＤプレーヤは、格納データ情報要求信号を受信し（ステップＪ１０）、格納データ有りの場合は、格納データのタイトル名、ビットレート等を記載したリストを作成し（ステップＪ１２）、ＰＤＰへ送信する（ステップＪ１３）。ここで、格納データ無の場合は、格納データ無を知らせる信号を送信する（ステップＪ１６）。ＰＤＰは、格納データ無を受信した場合は、その旨を表示装置へ表示し終了する（図１２に記載無）。格納データリストを受信した場合（ステップＪ３）は、次にスループット算出用データを送信する（ステップＪ４）。ＤＶＤプレーヤは、スループット算出用データを受信し（ステップＪ１４）、受信終了を示すＡＣＫを送信する（ステップＪ１５）。図１０のスループット算出部４１では、ＰＤＰとＤＶＤプレーヤ間の伝送スループットを算出する（ステップＪ５）。
【００５０】
ここで、スループット算出用データ送信からスループット算出（ステップＪ４、Ｊ１４、Ｊ１５）の工程に関しては、格納データ情報要求送信（ステップＪ２）よりも前に行っても問題はない。
【００５１】
算出された伝送スループットと、受信した格納データリストにおける各コンテンツのビットレート値を図１０の判定部４３にて比較し、伝送可否情報を含めた、表示情報を作成し（ステップＪ６）、ＰＤＰで表示情報を画面に表示する（ステップＪ８）。
【００５２】
例えば、この時の表示イメージは、図６（ｂ）のように伝送可否情報を色分けした表示となる。
【００５３】
この後、ＰＤＰでは、図６（ｂ）の状態から、付属のリモコンで視聴したいコンテンツを選択することにより、ＤＶＤプレーヤから受信・再生することができる。付属のリモコンでの各ＡＶ機器の再生・停止等の遠隔操作の方法としては、例えば、図６（ｂ）において視聴したいコンテンツを選択することにより、図１０のＣＰＵ１６から第２の実施の形態と同様に、コマンド情報を含んだパケットが指定コンテンツを格納するＡＶ機器に送信される。ここでコマンドデータは、再生／停止コマンドと、再生、停止要求するコンテンツの番号で構成される。ここで、コンテンツ番号とは、指定ＡＶ機器内で各コンテンツ固有に割り当てられた番号であるものとする。指定ＡＶ機器では、パケットを受信し、ＣＰＵ１６にてコマンド解析処理を行い、要求されたコンテンツの送信、中止等を実行する。
【００５４】
以上のように本実施の形態では、ホームサーバーを介さず、家庭内に散在するＡＶ機器を互いに接続するようなネットワーク構成において、指定したＡＶ機器内のコンテンツを容易に確認でき、またそのＡＶ機器間との伝送スループットを算出することで、現在の通信状況で伝送可能なコンテンツを区別することができ、視聴可能なコンテンツをユーザは選択実行することが可能となる。
【００５５】
図３は、本発明による第５の実施の形態であるワイヤレス表示装置の構成を示すものである。
【００５６】
図３において、第２の実施の形態の構成要素と同一の構成要素に関しては、同一の符号を付してその説明を省略する。本実施の形態が第２の実施の形態と異なる点は、ホームサーバーがネットワーク上の各機器間の伝送状態、スループットを算出、及びネットワーク上にある全てのコンテンツ情報、データ等を管理し、各機器間の通信状況、コンテンツ情報等を表示装置に一覧表示させることを可能としたことにある。
【００５７】
以下、上述した第２の実施の形態と異なる部分についてその動作を説明する。通信状況データ処理部５１は、ホームサーバーから受信したネットワーク上の各ＡＶ機器間の通信状況データを表示部１８で表示可能なサイズ・フォントに変換する。また表示する際に、図１３に示すように、ホームサーバーと各ＡＶ機器との関係を表示する。
【００５８】
ホームサーバーの機能としては、第２の実施の形態で示したように、定期的に各ＡＶ機器とデータの送受信を行い、ホームサーバーを介した各ＡＶ機器間における伝送スループットを把握する機能を有する。さらにホームサーバーは、現在ネットワーク上にある各ＡＶ機器の名称、蓄積されているコンテンツ情報、データ等を把握する機能を有する。
【００５９】
各ＡＶ機器間の伝送スループット及び、コンテンツ情報、データ等（以下、通信状況データと呼ぶ）はホームサーバーが一括管理し、随時更新が行われているものとする。ある一つのＡＶ機器が通信状況データを要求した際、ホームサーバーからＡＶ機器へ送信される。図３における通信状況データ処理部５１によって表示変換されたデータは、ＯＳＤ処理部１４により、通信状況（伝送スループット）の色分け表示等が施され、例えば、ＡＶ機器側の表示装置に、図１３のように各機器の接続状況が表示され、各ＡＶ機器に付属するリモコンを使って各ＡＶ機器を選択することにより、そこに格納されているコンテンツ情報、データ等をユーザが確認することができる。
【００６０】
以上のように本実施の形態によれば、現在ネットワーク上にある各ＡＶ機器、及びそれらの通信状態、さらには各ＡＶ機器に格納されているコンテンツ情報をユーザが簡単に確認することが可能となる。
【００６１】
図１４は、本発明による第６の実施の形態であるワイヤレス送受信システムの構成を示すものである。
【００６２】
図１４において、図３に示した第２の実施の形態の構成要素と同一の構成要素に関しては、同一の符号を付してその説明を省略する。本実施の形態が第２の実施の形態と異なる点は、２つのＡＶ機器間で通信を行う際、ネットワーク上での通信チャンネルの使用状況、２つのＡＶ機器間での伝送スループット、通信状況、及び伝送を行おうとするコンテンツのビットレート等により、２つのＡＶ機器間にとって最適な通信形態に動的に切替えることを可能としたことにある。
【００６３】
ワイヤレスネットワーク媒体として無線ＬＡＮを用いた場合、その利用形態に応じて２つの形態に分けることができる。図１７（ａ）は無線ＬＡＮのアクセスポイント（ホームサーバー７１）を経由して通信するインフラストラクチャ通信である。それに対し、図１７（ｂ）はアクセスポイントを経由せず、端末間でピアツーピアの通信を行う形態で、アドホック通信と呼ばれている。
【００６４】
しかし、図１７（ａ）のインフラストラクチャ通信でのホームサーバー７１を経由する方式に対し、図１７（ｂ）のアドホック通信では、直接通信を行うことになるため、両通信形態において伝送スループットに差が現れることになる。例えば現在無線ＬＡＮとして普及が拡大している８０２．１１ｂ規格の無線モジュールを用いて、図１７（ａ）、（ｂ）それぞれの方式で伝送スループットを比較すると、図１７（ａ）のインフラストラクチャ通信の場合は図１７（ｂ）のアドホック通信の場合より２倍近く速度が低下する。本実施の形態ではこの内容に注目し、伝送するコンテンツの内容に応じて、アドホック／インフラストラクチャ通信を動的に切替える方法に関して説明する。
【００６５】
図１４において、ユーザが受信したいコンテンツ情報が格納してあるＡＶ機器との間の現在の伝送スループット、コンテンツ情報のビットレート等の情報がホームサーバー７１から受信され、伝送方式判定部６１に入力される。伝送方式判定部６１では、メモリ６２内における判定条件を参照して、ユーザが受信したいコンテンツを送信元ＡＶ機器とアドホック／インフラストラクチャ通信のどちらの通信方式で伝送するかを決定する。
【００６６】
図１５は、本実施の形態の動作を説明するためのフローチャートである。以下図１５に従い、その動作を説明する。
【００６７】
例として、Ｄ・ＶＨＳ７２（図１７）内に格納されたコンテンツ情報をＰＤＰ７３（図１７）で受信する構成について説明する。尚、本実施の形態においては、初期状態としてホームサーバー７１（図１７）を中心として各ＡＶ機器が接続している、インフラストラクチャ通信のネットワークを構成しているものとする。
【００６８】
まずＰＤＰ７３は、ホームサーバー７１に指定ＡＶ機器（Ｄ・ＶＨＳ７２）のコンテンツ情報の送信を要求する（ステップＫ２）。ホームサーバー７１は、各ＡＶ機器間における伝送スループットを把握する機能を有し、現在ネットワーク上にある各ＡＶ機器の名称、蓄積されているコンテンツ情報、データ等を把握する機能を有し、さらに各ＡＶ機器間の伝送スループット及び、コンテンツ情報、データ等（以下、コンテンツ情報と呼ぶ）を一括管理する機能を有する。また、コンテンツ情報は随時更新が行われているものとする。ホームサーバー７１は、ＰＤＰ７３から要求のあったＡＶ機器（Ｄ・ＶＨＳ７２）内のコンテンツ情報をＰＤＰ７３へ送信する（ステップＫ１４）。ＰＤＰ７３はコンテンツ情報を元に、図１４の伝送方式判定部６１において、Ｄ・ＶＨＳ７２との通信方式を判定する（ステップＫ４）。ここで、判定条件としては、例えば、視聴したいコンテンツのビットレートとＰＤＰ７３−Ｄ・ＶＨＳ７２間の伝送スループットを比較し、「コンテンツのビットレート＞伝送スループット」であれば、現在のインフラストラクチャ通信をやめ、アドホック通信に切替えるよう制御信号を発生する（ステップＫ５）。判定条件は、図１４におけるメモリ６２に格納されており、条件の追加、修正は可能となっている。判定条件にて「コンテンツのビットレート＜伝送スループット」の場合は、第２の実施の形態に示したように、ホームサーバー７１を経由した、インフラストラクチャ通信での通信を行う（ステップＫ１６）。
【００６９】
アドホック通信への切替制御信号を受けたＰＤＰ７３は、要求側の装置（本実施の形態ではＰＤＰ７３）を識別するＳＳＩＤ（Ｓｅｒｖｉｃｅ  Ｓｅｔ  Ｉｄｅｎｔｉｆｙ）を生成し、Ｄ・ＶＨＳ７２へ送信する（ステップＫ６）。Ｄ・ＶＨＳ７２は  ＳＳＩＤを受信し、内部のメモリに保持する（ステップＫ１８）。続けてＰＤＰ７３において、通信形態を切替えるＢｅａｃｏｎ信号（ＳＳＩＤを含む）を生成し、送信する（ステップＫ７）。Ｄ・ＶＨＳ７２はＢｅａｃｏｎ信号（他のネットワークからのＢｅａｃｏｎ信号有り）を受信し、メモリ内部に保持したＳＳＩＤと比較（スキャニング）し、ＳＳＩＤとマッチするＢｅａｃｏｎ信号を抽出する。Ｄ・ＶＨＳ７２は、抽出したＢｅａｃｏｎ信号の時間同期、チャネル構成等を認識した後、ＡＣＫ信号を送信する（ステップＫ１９）。ＰＤＰ７３は  ＡＣＫ信号を受信することで、Ｄ・ＶＨＳ７２とのアドホック通信のネットワークの接続成功を確認し、コンテンツ要求信号を送信する（ステップＫ８、Ｋ９）。Ｄ・ＶＨＳ７２は要求信号を受信し、コンテンツの送信を開始する（ステップＫ２０、Ｋ２１）。
【００７０】
また、ＰＤＰ７３でのコンテンツ受信が終了後、もしくは途中で停止された後は、元のインフラストラクチャ通信に戻るように構成してもよい。
【００７１】
本実施の形態では、通信方式をＰＤＰ７３で決定したが、ホームサーバー７１又はＤ・ＶＨＳ７２で決定する構成にしてもよい。
【００７２】
以下、ホームサーバー７１で通信方式を決定する場合において、図１６のフローチャートを用いてその動作を説明する。
【００７３】
例として、Ｄ・ＶＨＳ７２内に格納されたコンテンツ情報をＰＤＰ７３で受信する構成について説明する。尚、本実施の形態も同様、初期状態としてホームサーバー７１を中心として各ＡＶ機器が接続している、インフラストラクチャ通信のネットワークを構成しているものとする。
【００７４】
まず、ホームサーバー７１は、図１のアンテナ１と無線部２と信号強度定量化部３を含んで構成され、前記した処理と同様の処理により、ホームサーバー７１とＰＤＰ７３間、ホームサーバー７１とＤ・ＶＨＳ７２間の電波状況を検出する。Ｄ・ＶＨＳ７２は、ホームサーバーに７１にコンテンツ情報を送信する（ステップＬ２１）。ＰＤＰ７３は、ホームサーバー７１にＤ・ＶＨＳ７２のコンテンツ情報の送信を要求する（ステップＬ２）。ホームサーバー７１は、各ＡＶ機器間における伝送スループットを把握する機能を有し、現在ネットワーク上にある各ＡＶ機器の名称、蓄積されているコンテンツ情報、データ等を把握する機能を有し、さらに各ＡＶ機器間の伝送スループット及び、コンテンツ情報、データ等（以下、コンテンツ情報と呼ぶ）を一括管理する機能を有する。また、コンテンツ情報は随時更新が行われているものとする。ホームサーバー７１は、ＰＤＰ７３から要求のあったＡＶ機器（例えば、Ｄ・ＶＨＳ７２）内のコンテンツ情報をＰＤＰ７３へ送信する（ステップＬ１４）。ＰＤＰ７３は、コンテンツ情報の中から、受信したいコンテンツを選択し、ホームサーバー７１へ送信する（ステップＬ４）。ホームサーバー７１は、ＰＤＰ７３によって選択されたコンテンツのビットレートとＰＤＰ７３−Ｄ・ＶＨＳ７２間の伝送スループットを比較し、「コンテンツのビットレート＞伝送スループット」であれば、現在のインフラストラクチャ通信をやめ、アドホック通信に切替えるように制御信号を発生する（ステップＬ１７）。判定条件は、図１４におけるメモリ６２に格納されており、条件の追加、修正は可能となっている。判定条件にて「コンテンツのビットレート＜伝送スループット」の場合は、第２の実施の形態に示したように、ホームサーバー７１を経由した、インフラストラクチャ通信での通信を行う（ステップＬ１９）。
【００７５】
アドホック通信への切替制御信号を受けたホームサーバー７１は、要求側の装置を識別するＳＳＩＤを生成し、Ｄ・ＶＨＳ７２とＰＤＰ７３に対して、同じＳＳＩＤを送信する（ステップＬ１８）。Ｄ・ＶＨＳ７２はＳＳＩＤを受信し、内部のメモリに保持する（ステップＬ２２）。続けてＰＤＰ７３はＳＳＩＤを受信し（ステップＬ５）、通信形態を切替えるＢｅａｃｏｎ信号（ＳＳＩＤを含む）を生成し、送信する（ステップＬ５、Ｌ６）。Ｄ・ＶＨＳ７２は、Ｂｅａｃｏｎ信号を受信し、メモリ内部に保持したＳＳＩＤと比較（スキャニング）し、ＳＳＩＤとマッチするＢｅａｃｏｎ信号を抽出する。Ｄ・ＶＨＳ７２は、抽出したＢｅａｃｏｎ信号の時間同期、チャネル構成等を認識した後、ＡＣＫ信号を送信する（ステップＬ２３）。ＰＤＰ７３はＡＣＫ信号を受信することで、Ｄ・ＶＨＳ７２とのアドホック通信のネットワークの接続成功を確認し、最初にＰＤＰ７３からホームサーバー７１へ送信されたコンテンツ要求信号を、再び今度はアドホック通信のネットワークが確立されているＤ・ＶＨＳ７２へ送信する（ステップＬ６、Ｌ７、Ｌ８）。Ｄ・ＶＨＳ７２は要求信号を受信し、レートを設定し、コンテンツの送信を開始する（ステップＬ２４、Ｌ２５、Ｌ２６）。
【００７６】
また、ＰＤＰ７３でのコンテンツ受信が終了後、もしくは途中で停止された後は、元のインフラストラクチャ通信に戻るように構成してもよい。
【００７７】
以上のように本実施の形態によれば、送受信したいコンテンツの情報によって、通信形態を動的に切替えることが可能となるため、ユーザは何も意識せずに最適な通信環境を実現することが可能となる。
【００７８】
図１４は、本発明の第７の実施の形態であるワイヤレス送受信システムの構成を示すものである。
【００７９】
図１４において、第６の実施の形態の構成要素と同一の構成要素に関しては、同一の符号を付してその説明を省略する。本実施の形態が第６の実施の形態と異なる点は、伝送誤り率測定部８１を配置し、２つのＡＶ機器間で通信を行う際、データの伝送誤り率を測定することにより、２つのＡＶ機器間にとって最適な通信形態に動的に切替えることを可能としたことにある。
【００８０】
以下、上述した第６の実施の形態と異なる部分についてその動作を説明する。
【００８１】
伝送誤り率測定部８１では、無線部２におけるベースバンド信号から復調して得られるデータに付加されている誤り訂正符号を用いて、この情報の誤り率を算出する。誤り訂正符号としては、例えばＣＲＣ、リードソロモン符号等が挙げられる。伝送方式判定部６１では、誤り率が所定の閾値（例えば１０−６）以上となった場合に、現在のインフラストラクチャ通信をやめ、アドホック通信に切替えるよう制御信号を発生する。所定の閾値以下であれば、ホームサーバーを経由した、インフラストラクチャ通信での通信を継続する。
【００８２】
本実施の形態は、図１４の無線通信部１１に該当する処理部（伝送誤り率測定部８１を含む）をホームサーバーに有する場合にも適用可能である。すなわち、Ｄ・ＶＨＳ７２側から送信した伝送すべき画像データに対応する容量の所定データを受信し、誤り率を算出する。誤り率が所定の閾値（例えば１０−６）以上となった場合に、現在のインフラストラクチャ通信から、アドホック通信への切替えを制御する制御信号を発生する。該制御信号を受けた無線部２は、要求側の装置を識別するＳＳＩＤを生成し、ＳＳＩＤをＤ・ＶＨＳ７２とＰＤＰ７３へ送信する。
【００８３】
以上のように本実施の形態によれば、データを受信中に伝送誤り率をリアルタイムで測定することにより、通信形態を動的に切替えることが可能となるため、ユーザは何も意識せずに最適な通信環境を実現することが可能となる。
【００８４】
図１８は、本発明による第８の実施の形態であるワイヤレス送受信システムの構成を示すものである。
【００８５】
図１８において、図１４に示した第６の実施の形態の構成要素と同一の構成要素に関しては、同一の符号を付してその説明を省略する。本実施の形態が第６の実施の形態と異なる点は、２つのＡＶ機器間で通信を行う際、データを受信している間、表示部側のバッファに蓄えられているデータ量を監視し、バッファに蓄積されているデータの量により通信状況を把握し、２つのＡＶ機器間にとって最適な通信形態へ切替えることを可能としたことにある。
【００８６】
以下、上述した第６の実施の形態と異なる部分についてその動作を説明する。
【００８７】
受信バッファ９２は、無線部で受信したデータ（パケット数）を一時的に蓄積する。バッファ監視部９１では、受信バッファ９２内のデータ（パケット数）を監視する。
【００８８】
通常、音声や動画像をリアルタイムに伝送するディジタル通信及び再生方式としては、データの最後までの受信を待たずに再生するストリーミング再生方式が用いられる。この方式における受信装置の処理は、無線部で受信したデータ（パケット数）を蓄積し、蓄積量が一定以上になり再生開始条件を満たすと、データが、受信バッファ９２から読み出され、復号化処理される。
【００８９】
上記ストリーミング再生方式において、通信状態が悪化すると、伝送エラーによる再送処理等によってデータの伝送遅延が起こり、再生中に受信バッファ９２のデータ蓄積量がゼロになってしまい（受信バッファ９２のアンダーフロー）、再生が停止してしまう場合がある。
【００９０】
本実施の形態の図１８では、受信バッファ９２内のデータ数を随時監視し、伝送方式判定部６１において、データ数が、所定の閾値以下となった場合には、現在のインフラストラクチャ通信をやめ、アドホック通信に切替えるよう制御信号を発生する。データ数が所定の閾値以上であれば、ホームサーバーを経由した、インフラストラクチャ通信での通信を継続する。
【００９１】
尚、本実施の形態においては、受信バッファ９２を無線部２内に配置する構成としているが、外部に配置する構成としても良い。
【００９２】
他の例として、図１８の無線通信部１１をホームサーバーに有する場合にも適用可能である。すなわち、受信バッファ９２は、無線部で受信したデータ（パケット数）を一時的に蓄積する。バッファ監視部９１では、受信バッファ９２内のデータ（パケット数）を監視する。受信バッファ９２内のデータ数を随時監視し、伝送方式判定部６１において、所定データ数が、所定の閾値以下となった場合には、現在のインフラストラクチャ通信から、アドホック通信への切替えを制御する制御信号を発生する。該制御信号を受けた無線部２は、要求側の装置を識別するＳＳＩＤを生成し、ＳＳＩＤをＤ・ＶＨＳ７２とＰＤＰ７３へ送信する。
【００９３】
以上のように、本実施の形態によれば、データを受信中に受信バッファ９２内に蓄積されている、データ数をリアルタイムで監視することにより、通信形態を動的に切替えることが可能となるため、ユーザは何も意識せずに最適な通信環境を実現することが可能となる。
【００９４】
【発明の効果】
以上説明したように本発明によれば、各ＡＶ機器間の現在の各通信状況に合わせた通信形態に自動的に切替を行い、各アプリケーションに応じた伝送スループットを得ることができるので、ユーザが意識することなく快適な伝送環境を実現することができる。
【図面の簡単な説明】
【図１】本発明による第１の実施の形態を示す図。
【図２】本発明による第１の実施の形態のイメージ図。
【図３】本発明による第２、第３及び第５の実施の形態を示す図。
【図４】本発明による第２の実施の形態における使用イメージを説明する図。
【図５】本発明による第２の実施の形態におけるホームサーバーの構成を説明するための図。
【図６】本発明による第２の実施の形態のイメージ図。
【図７】本発明による第２の実施の形態を説明するためのフローチャート。
【図８】本発明による第２と第３の実施の形態における簡易ＥＰＧの表示イメージ図。
【図９】本発明による第３の実施の形態を説明するためのフローチャート。
【図１０】本発明による第４の実施の形態を示す図。
【図１１】本発明による第４の実施の形態における各ＡＶ機器内のコンテンツ一覧リストを説明する図。
【図１２】本発明による第４の実施の形態を説明するためのフローチャート。
【図１３】本発明による第５の実施の形態のイメージ図。
【図１４】本発明による第６と第７の実施の形態を示す図。
【図１５】本発明による第６の実施の形態を説明するためのフローチャート。
【図１６】本発明による第６の実施の形態を説明するための他のフローチャート。
【図１７】本発明による第６の実施の形態の構成例を示す図。
【図１８】本発明による第８の実施の形態を示す図。
【符号の説明】
１…アンテナ、２…無線部、３…信号強度定量化部、４…デコーダ、５…ＯＳＤ処理部、６…合成部、７…表示部、８…無線部、９…受信機全体、１１…無線通信部、１２…表示機器部、１３…コンテンツ処理部、１４…ＯＳＤ処理部、１５…無線Ｉ／Ｆ部、１６…ＣＰＵ、１７…メモリ、１８…表示部、１９…リモコン受信部、２１…無線部、２２…ＣＰＵ、２３…メモリ、２４…記憶装置、２５…外部Ｉ／Ｆ、２６…タイマ、２７…ＯＳＤ処理部、４１…スループット算出部、４２…コンテンツ情報処理部、４３…判定部、４４…メモリ、５１…通信状況データ処理部、６１…伝送方式判定部、６２…メモリ、７１…ホームサーバー、７２…Ｄ・ＶＨＳ、７３…ＰＤＰ、７４…液晶プロジェクタ、８１…伝送誤り率測定部、９１…バッファ監視部、９２…受信バッファ。
【図１】
2004320396.tif 000003
【図２】
2004320396.tif 000004
【図３】
2004320396.tif 000005
【図４】
2004320396.tif 000006
【図５】
2004320396.tif 000007
【図６】
2004320396.tif 000008
【図７】
2004320396.tif 000009
【図８】
2004320396.tif 000010
【図９】
2004320396.tif 000011
【図１０】
2004320396.tif 000012
【図１１】
2004320396.tif 000013
【図１２】
2004320396.tif 000014
【図１３】
2004320396.tif 000015
【図１４】
2004320396.tif 000016
【図１５】
2004320396.tif 000017
【図１６】
2004320396.tif 000018
【図１７】
2004320396.tif 000019
【図１８】
2004320396.tif 000020